(57)【要約】      （修正有）【課題】綴じ管や頂板に加わる大きい衝撃力に対して頂板が外れないように充分に大きい抵抗力を有する綴具を提供する。【解決手段】ルーズリーフを綴じ込むための２本の中空の綴じ管２を直立支持した基板１と、この基板の後辺に薄肉ヒンジ３で結合されバインダー表紙へ取り付け可能な直立板５と、この直立板の上辺に薄肉ヒンジ７を介して結合された頂板９とよりなる外枠部材、及び２本の綴じ管にそれぞれ挿脱自在の２本のピン１３と、これらのピンの上端を固定的に支持するピン支持板１５とからなる押さえ部材からなる綴具において、頂板の前縁には、ピン支持板の前縁に係脱できる掛止め手段１１を設け、ピン支持板の後縁にはピン支持板の面に沿って直立板に向けて突出する二叉形突起が形成され、直立板には突起の間に嵌合可能な突起１９が形成されている。【選択図】図５
2014104725.tif 000002
【特許請求の範囲】
【請求項１】
ルーズリーフを綴じ込むための２本の中空の綴じ管（２、２）を直立支持した基板（１）と、この基板（１）の後辺に薄肉ヒンジ（３）で結合されバインダー表紙へ取り付け可能な直立板（５）と、この直立板（５）の上辺に薄肉ヒンジ（７）を介して結合された頂板（９）とよりなる外枠部材、及び
前記２本の綴じ管（２、２）にそれぞれ挿脱自在の２本のピン（１３、１３）と、これらのピンの上端を固定的に支持するピン支持板（１５）とからなる押さえ部材からなり、  前記頂板（９）の前縁には、前記ピン支持板（１５）の前縁に係脱できる掛止め手段（１１）を設けた綴具において、
前記ピン支持板（１５）の後縁にはピン支持板（１５）の面に沿って前記直立板（５）に向けて突出する二叉形突起（１７）が形成され、前記直立板（５）には前記突起の間に嵌合可能な突起（１９）が形成されていることを特徴とする綴具。
【請求項２】
前記頂板（９）の後縁に突起（２１）を設け、前記ピン支持板（１５）の後縁には前記突起（２１）に干渉する干渉部を設けた請求項１に記載の綴具。
【請求項３】
干渉部は二叉形突起（１７）のうち頂板寄りの突起（１７ａ）である請求項２の綴具。
【請求項４】
ピン支持板（１５）には受穴（２７）を設け、基板（１）には該受穴（２７）に対応した位置にピン（２５）を設け、頂板（９）を閉鎖位置に閉鎖した時に、該ピン（２５）が該受穴（２７）に嵌合するようにした、請求項１〜３のいずれか１項に記載の綴具。
【発明の詳細な説明】
【技術分野】
【０００１】
本発明は筆記用紙、印刷物、帳票等のルーズリーフを綴じ込むための綴具に関する。
【背景技術】
【０００２】
このような構造を有する従来例には例えば特開２００７−１９６６１８号（特許文献１）等多数の特許文献が知られている。特許文献１等には、（Ｉ）ルーズリーフをとじこむための２本の中空の綴じ管を直立支持した基板と、この基板の後辺に薄肉ヒンジで結合された直立板であってバインダー表紙へ取り付け可能な直立板と、この直立板の上辺に薄肉ヒンジ介して結合された頂板とよりなる外枠部材、及び（ＩＩ）前記２本の綴じ管にそれぞれ挿脱自在の２本のピンと、これらのピンの上端を固定的に支持するピン支持板とからなる押さえ部材からなり、前記外枠部材（Ｉ）の頂板の前縁には、前記押え部材（２）の前縁に係脱できる掛止め手段を設けた綴具が記載されている。
使用に当たり、外枠部材の展開状態で前記２本のピンに任意枚数のルーズリーフを前記２本の綴じ管に挿入することで抑え部材（ＩＩ）を組込み、外枠部材（Ｉ）の前記頂板を前記押さえ部材の支持板の上に枢動させて被せ、止め手段を支持版の前縁に掛け止めすることにより、外側部材（Ｉ）と押え部材（ＩＩ）を互いに組み付けた状態に固定する。
【先行技術文献】
【特許文献】
【０００３】
【特許文献１】特開２００７−１９６６１８号公報
【発明の概要】
【発明が解決しようとする課題】
【０００４】
しかし、従来の上記の構成では多数枚のルーズリーフの全体厚さが例えば５ｃｍのような大量で重量が重くなる場合に外的衝撃に充分耐える保持力を得ることが困難である。外的衝撃はピンと綴じ管に加わり、頂板がピン支持板から外れることがある。したがって本発明は綴じ管や頂板に加わる大きい衝撃力に対して頂板が外れないように充分に大きい抵抗力を有する綴具を提供することを主な目的とする。
【０００５】
本発明はまた、ルーズリーフを補充、差し替え等をした後に、ピン支持板を外枠部材（Ｉ）の組み付け位置へ向けて移動させるとき、これに連動して頂板が押え部材を掛止めする位置へ枢動させることにより、押え部材を外枠部材へ確実に組み付けることを可能にし、逆に、ルーズリーフの補充、差し替え等のため頂板を開放する際に、頂板の開放に連動してピン支持板を組み付け位置から押し出してピン支持板を取り外し可能とすることを可能にする機構を提案することを他の目的とする。
そこで本発明は特に厚手のファイルに取り付けて使用するに適した綴具において、これらの問題を解決することを課題とする。なお、以下の説明で、基板、直立板、及び頂板の語は相対的な意味を有する便宜的な用語であることに注意されたい。
【課題を解決するための手段】
【０００６】
１）本発明は、ルーズリーフを綴じ込むための２本の中空の綴じ管２、２を直立支持した基板１と、この基板１の後辺に薄肉ヒンジ３で結合された直立板５であってバインダー表紙へ取り付け可能な手段を有する直立板５と、この直立板５の上辺に薄肉ヒンジ７を介して結合された頂板９とよりなる外枠部材（Ｉ）、及び前記２本の綴じ管２、２にそれぞれ挿脱自在の２本のピン１３、１３と、これらのピンの上端を固定的に支持するピン支持板１５とからなる押さえ部材（ＩＩ）からなり、前記頂板９の前縁には、前記押え部材（ＩＩ）の前縁に係脱できる掛止め手段１１を設けた綴具において、前記ピン支持板１５の後縁には支持板１５の面に沿って直立板５に向けて突出する二叉形突起１７ａ、１７ｂが形成され、前記直立板５には前記突起１７ａ、１７ｂの間に嵌合可能な突起１９が形成されていることを特徴とする綴具を提供する。
この構造によると、外枠部材（Ｉ）に押え部材（ＩＩ）を組み付けた状態で、前記二叉形突起１７ａ、１７ｂと突起１９が互いに嵌合するので、上下方向に厚いルーズリーフに加わる衝撃によって大きい外力が作用した場合にも、頂板が外れず、綴具が安定に保持できる。
【０００７】
２）本発明の他の好ましい実施形態では、上記（１）の綴具において、前記頂板９の後縁に突起２１を設け、前記ピン支持板１５の後縁には前記突起２１に干渉する干渉部（突起１７ａの延長部でも良いし別個のものでも良い）を設ける。これにより、綴じ管２、２にピン１３、１３を挿入したのち、ピン支持板１５を外枠部材（Ｉ）の前から押し込むとき、突起１７ａが突起２１を押し、それにより頂板９が閉鎖方向へ枢動され、掛け止め手段１１が閉鎖状態にもたらされる。
この構成により、ピン支持板１５の組み付けに連動して頂板９も閉鎖される利点が得られる。また逆に、ルーズリーフの差し替えのために、頂板９を閉鎖状態から指で開くと、突起２１がピン支持板１５の突起１９に衝合してピン支持板１５を押すので、基板１も枢動し、ピン支持板を引き出すことが可能となる。
【図面の簡単な説明】
【０００８】
【図１】本発明の実施例による綴具の組み立て状態を示す正面図である。
【図２】同右側面図である。
【図３】同上面斜視図である。
【図４】本発明の実施例による綴具の外枠部材の展開斜視図である。
【図５】押え部材を外枠部材と関連付けて示した斜視図である。
【図６】基板が第１の安定状態にある綴具の外枠部材に押え部材を組込んだ展開斜視図である。
【図７】基板が第２の安定状態にある綴具の左側面図である。
【図８】ピン支持板を外枠部材に押し込む際の初期の動作を示す左側面図である。
【図９】ピン支持板を外枠部材に押し込む際の順次工程を示すもので、図１のＡ−Ａ断面の箇所を示す。
【図１０】他の実施例を示す斜視図である。
【発明を実施するための形態】
【０００９】
以下に本発明の好ましい実施例を詳しく説明する。
全体構成
本発明の綴具は図５に示すように外枠部材（Ｉ）と押え部材（ＩＩ）からなり、これらを２穴のルーズリーフ（図示せず）を綴じた状態に組み立てると図１〜３の形態となる。図４は外枠部材が展開状態にある斜視図であり、図５は外枠部材と押さえ部材の関係を示す。
本実施例の綴具は、ルーズリーフを綴じ込むための２本の中空の綴じ管２、２を直立支持した基板１と、この基板１の後辺に薄肉ヒンジ３で結合された直立板５であってバインダー表紙へ取り付け可能な取付穴６を有する直立板５と、この直立板５の上辺に薄肉ヒンジ７を介して結合された頂板９とよりなる外枠部材（Ｉ）（図４〜５）を含む。また、前記２本の綴じ管２、２にそれぞれ挿脱自在の２本のピン１３、１３と、これらのピンの上端を固定的に支持するピン支持板１５とからなる押さえ部材（ＩＩ）を含む（図５〜６）。頂板９の前縁には掛止め手段１１を設け、それを前記押え部材（ＩＩ）のピン支持板１５の前縁に設けた係止爪に係脱するようにする。また頂板９はヒンジ７の周りに枢動させるための指掛け８を有する。
【００１０】
外枠部材
図４〜５には外枠部材（Ｉ）の展開図を示す。この展開状態は成型直後の状態に等しく、ポリプロピレン等による熱可塑性合成樹脂から一回の射出成形により成型できる。基板１と直立板５との間には薄肉ヒンジ３が両側に、二位置安定板１０が中央部に設けられている。二位置安定板１０は基板１と直立板５の間の角度を規制するもので、他に力が作用しない状態では、第１位置では図４〜６の角度関係を、第２位置では図７の角度位置を採ることができ、これらの間では弾発移動が可能である。図７に示す第２位置では頂板９の掛止めが外れ、ピン支持板１５を引き出せる状態となる。これらの２つのいずれの位置でもルーズリーフの挿脱が自由に実施できる。
【００１１】
押さえ部材
押さえ部材（ＩＩ）は、図５に示したようにピン支持板１５とピン１３とより構成される。ピン支持板１５の前縁部には、外枠部材（Ｉ）の頂板９の掛止め部１１が係止する掛止め部１２が設けられる。これらは係脱可能な任意の掛止め構造を有すればよい。
【００１２】
両部材ＩとＩＩを組み立てるには、図５に示す相互位置関係で部材ＩＩのピン１３を部材Ｉの綴じ管２に挿入し、ついで綴じ管２又はピン支持板１５を直立板５の方へ枢動させる。次いで頂板９をピン支持板１５の上に向けて枢動させ、最後に掛止め手段１１を本支持板の縁部の掛止め部１２に掛止めする。
【００１３】
強化構造
本発明は厚手のルーズリーフを安定に支持できる構造を有する綴具を提供する。
図５〜６に示したように。ピン支持板１５の後縁には支持板１５の面に沿って直立板５に向けて突出する二叉形突起１７が形成され、前記直立板５には前記突起の間に嵌合可能な突起１９が形成されている。
これにより、外枠部材（Ｉ）に押え部材（ＩＩ）を組み付けた状態で、二叉形突起１７と突起１９が互いに嵌合するので、図１〜３のように組み立てた状態で、大きい質量の厚いルーズリーフから加わる大きい衝撃が作用した場合にも、頂板９が外れず、綴具が安定に保持できる。
【００１４】
均等な構造としては、ピン支持板１５の後縁には単一突起を設け、直立板５にはこの単一突起を受け入れる二叉形突起を形成しても良い。
【００１５】
頂板とピン支持板の連動機構
本発明の他の好ましい実施形態では、図５〜９に図示したように、頂板９の後縁に下側に向けて突出する突起２１を設け、ピン支持板１５の後縁には突起２１先端に干渉する干渉部１７ａを設ける。これにより、綴じ管２、２にピン１３、１３を挿入したのち、ピン支持板１５を直立板５に向けて押し込むとき、干渉部１７ａが突起２１を押すので、頂板９が閉鎖方向へ枢動され、掛止め手段１１が閉鎖状態にもたらされ、頂板が閉鎖状態に維持される。なお干渉部１７ａは二叉状突起１７の一部を利用したが、別個の干渉部を用いてもよい。
この構成により、ピン支持板１５の組み付けに連動して頂板９も閉鎖される利点が得られる。また逆に、ルーズリーフの差し替えのために、指掛け８を押し上げて頂板９を閉鎖状態から外し、さらに枢動させると突起２１がピン支持板１５の後縁の干渉部１７ａに衝合してピン支持板１５を押すので、基板１も枢動し、ピン支持板１５と綴じ管２を押し出すことができる。
【００１６】
この構造に基づく動作を図８〜９により説明する。これらの図は、ピン支持板１５を組み込むことに連動して頂板９が閉鎖される情態を示す。ただし、二叉状突起１７の一方の干渉部１７ａ（又は別個の干渉部でも同様）を用いた例である。過程１では、ピン１３を綴じ管２に挿入し、ピン支持板１５を直立板５に向けて矢印の方向に押す。二叉形突起１７の一方の干渉部１７ａが頂板９の突起２１の先端に突き当たり押圧する。過程２では、さらにピン支持板１５を押すと頂板９は立ち上がり、干渉部１７ａは突起１９と頂板９の間に入る。過程３では、二叉形の突起１７の干渉部１７ａ、１７ｂは直立板５の突起２１を挟み込む。過程４では二叉形突起１７と突起２１は完全に嵌合し、頂板９はピン支持板１５を抱き込む。この場合、掛止め手段１１と掛止め部１２は完全にロック状態にならない場合があり得るが、そのときは指で頂板９を押さえれば完全なロックが可能になる。
【００１７】
上記の過程を逆行すればロックが解除されるが、この場合には頂板９を指で開放すれば、頂板の突起２１がテコの作用を行い、ピン支持板１５を押し過程１の状態に戻す。
【００１８】
以上のように、本発明によれば、外枠部材（Ｉ）に押え部材（ＩＩ）を組み付けた状態で、前記二叉形突起１７と突起１９が互いに嵌合するので、上下方向に大きい質量の厚いルーズリーフに加わる衝撃による大きい外力が作用した場合にも、頂板が外れず、綴具が安定に保持できる。
また頂板９の湾曲した突起２１と干渉部（または突起１７ａ）が干渉するので、ピン支持板１５の挿脱と頂板９の開閉が連動するので綴具の操作が容易になる。
【００１９】
他の実施形態として、図１０のように、ピン支持板には強化用受穴２７、２７を設け、基板１のそれに対応した位置に強化用ピン２５、２５を設け、頂板９を図１〜３の閉鎖位置に閉鎖した時にこれらのピンが受穴に嵌合するようにする。これによりピンと綴じ管に大きい外力が加わっても十分な保持力を達成できる。
【００２０】
さらに他の実施形態としては、これまで述べてきた実施例において、図９で詳述した構造を、基板１の側にも適用することができる。すなわち、基板１を使用する代わりに、頂板９と同様に構成した基板を直立板５にヒンジ結合し、頂板９と同様に構成した綴じ管支持板を組み合わせて使用する。その作用は図９で説明したものと同様である。
【符号の説明】
【００２１】
Ｉ：外枠部材
ＩＩ：押さえ部材
１：基板
２：綴じ管
３：薄肉ヒンジ
５：直立板
６：取付穴
７：薄肉ヒンジ
８：指掛け
９：頂板
１０：二位置安定板
１１：掛止め手段
１２：掛止め部
１３：ピン
１５：ピン支持板
１７：二叉形突起
１７ａ、１７ｂ：干渉部
１９：板状突起
２１:  突起
２５：強化用ピン
２７：強化用受穴
【図１】
2014104725.tif 000003
【図２】
2014104725.tif 000004
【図３】
2014104725.tif 000005
【図４】
2014104725.tif 000006
【図５】
2014104725.tif 000007
【図６】
2014104725.tif 000008
【図７】
2014104725.tif 000009
【図８】
2014104725.tif 000010
【図９】
2014104725.tif 000011
【図１０】
2014104725.tif 000012